(57)【要約】【課題】追い焚き運転中の浴槽内の湯温や自動湯張り運転中の浴槽水位を利用者に知らせ得る風呂装置を提供する。【解決手段】風呂温度センサ５で検出した浴槽湯水温度に基づいて追い焚き運転中の浴槽内湯温を表示する温度表示部３３と、フローセンサ１６で検出する流量とＰ−Ｑデータメモリ３０に記憶されている湯張り特性データに基づいて自動湯張り中の浴槽水位を浴槽水位検出部４０で検出し、浴槽水位を表示する水位表示部４２を設けて風呂装置を構成する。温度表示部３３には、浴槽湯温をリアルタイムで表示するリアルタイム温度表示部２９と、入浴温度データ設定格納部３２の記憶データに基づいて浴槽湯温を区別表示する温度区別表示部３１を設け、水位表示部４２には、浴槽水位をリアルタイムで表示するリアルタイム水位表示部３７と、浴槽水位データ設定格納部４１の記憶データに基づいて浴槽水位を区別表示する水位区別表示部３９とを設けて構成する。【選択図】図１
2006234380.tif 000002
【特許請求の範囲】
【請求項１】
浴槽の側壁に接続具を介して接続される追い焚き熱交換器を備えた追い焚き循環路と、この追い焚き循環路に連通する箇所に設けられて浴槽の水位を水圧によって検出する水位センサと、給湯熱交換器と、該給湯熱交換器の給湯通路を注湯制御弁を介して追い焚き循環路に連通する注湯通路と、前記給湯通路から前記追い焚き循環路を介して浴槽に供給される湯水の量を検出する流量センサと、浴槽水位（Ｐ）と浴槽水量（Ｑ）とを関係付けた湯張り特性データに基づいて前記給湯熱交換器側の湯を浴槽に落とし込んで自動湯張りを行う自動湯張り手段とを有する風呂装置において、前記流量センサで検出する流量と前記湯張り特性データに基づいて自動湯張り中の浴槽水位を検出する浴槽水位検出部と、該浴槽水位検出部により検出した浴槽水位を直接的に又は間接的にリアルタイムで表示する水位表示部を設けたことを特徴とする風呂装置。
【請求項２】
水位表示部は、浴槽水位が入浴可能な水位となる入浴可能水位範囲と浴槽水位が入浴に最適となる入浴最適水位範囲の入力データを記憶する浴槽水位データ設定格納部と、浴槽水位検出部により検出した浴槽水位が前記入浴可能水位範囲内のときには入浴可能の表示をし、浴槽水位検出部により検出される浴槽水位が前記入浴最適水位範囲のときには入浴最適の表示をする水位区別表示部とを設けて構成したことを特徴とする請求項１記載の風呂装置。
【請求項３】
追い焚き循環路を循環する浴槽湯水の温度を検出する風呂温度センサを有し、前記風呂温度センサの検出信号に基づいて少なくとも追い焚き運転中の浴槽内の湯温を直接的に又は間接的にリアルタイムで表示する温度表示部を設けたことを特徴とする請求項１又は請求項２記載の風呂装置。
【請求項４】
温度表示部は、浴槽湯水の温度が入浴可能な温度となる入浴可能温度範囲と浴槽湯水の温度が入浴に最適となる入浴最適温度範囲の入力データを記憶する入浴温度データ設定格納部と、風呂温度センサにより検出される浴槽内の湯温が前記入浴可能温度範囲内のときには入浴可能の表示をし、風呂温度検出センサにより検出される浴槽内の湯温が前記入浴最適温度範囲内のときには入浴最適の表示をする温度区別表示部とを設けて構成したことを特徴とする請求項３記載の風呂装置。
【請求項５】
温度表示部の表示内容と水位表示部の表示内容は風呂装置の制御装置に接続されているリモコンによって風呂装置の利用者に知らせることを特徴とする請求項３又は請求項４記載の風呂装置。
【発明の詳細な説明】
【技術分野】
【０００１】
本発明は、少なくとも追い焚き機能を備えた風呂装置に関するものである。
【背景技術】
【０００２】
図７には湯張り機能と追い焚き機能を備えた一般的な風呂装置が示されている。同図において、風呂バーナ１の上側に追い焚き熱交換器２が設けられ、その追い焚き熱交換器２の入口側には管路３の一端側が接続され、管路３の他端側は追い焚き循環ポンプ４の吐出側に接続されている。この管路３には通水の温度を検出するサーミスタ等の風呂温度センサ５が設けられている。追い焚き循環ポンプ４の吸込側には追い焚き循環路６の戻り管７が接続されており、戻り管７の戻り口側（入口側）は浴槽８の側壁に接続具としての循環金具１０を介して接続されている。この戻り管７には通水を検知してオン信号を出力する流水スイッチ１１が設けられている。追い焚き熱交換器２の出口側には追い焚き循環路６の往管１２の入口側が接続されており、往管１２の出口側は循環金具１０を介して浴槽側壁に接続されている。
【０００３】
また、給湯バーナ１３の上側には給湯熱交換器１４が設けられ、この給湯熱交換器１４の入口側には給水管１５が接続され、この給水管１５は流量検出手段としてのフローセンサ（流量センサ）１６を介して水道等の水供給源に接続されている。給湯熱交換器１４の出口側には給湯管１７が接続されており、この給湯管１７は台所等の所望の給湯場所に導かれ給湯栓（図示せず）を開けることにより出湯が可能となっている。この給湯管１７には必要に応じ流水スイッチ１８が設けられる。
【０００４】
前記給湯管１７には、給湯熱交換器１４の給湯通路を追い焚き循環路６と接続する注湯通路として機能する湯張り用管２１が分岐されており、この湯張り用管２１は注湯弁として機能する注湯電磁弁２４を介して追い焚き循環路６の管路３に接続されており、この接続部と注湯電磁弁２４との管路間には浴槽８の水位を水圧によって検出する水位センサ（圧力センサ）２０が設けられている。
【０００５】
なお、図中、２２は入水温度センサ、２３は出湯温度センサをそれぞれ示している。
【０００６】
この自動風呂釜の給湯運転と、追い焚き運転と、湯張り運転とは制御装置２５によって行われており、この制御装置２５にはリモコン２６が接続されている。
【０００７】
この種の風呂装置において、給湯管１７の給湯栓が開けられると、給水管１５から給湯熱交換器１４側に水が入り込み、この水の流れが流水スイッチ１８（又はフローセンサ１６）で検出されたときに、給湯バーナ１３が燃焼し、給湯熱交換器１４を通る水が加熱されて設定温度の湯が作り出され、この湯は給湯管１７を通って所望の給湯場所に導かれ、湯が使用される。給湯栓が閉められると、水の流れが停止し、この流水の停止が流水スイッチ１８（又はフローセンサ１６）により検出されて制御装置２５は給湯バーナ１３の燃焼を停止し、給湯運転を終了する。
【０００８】
湯張り運転時には、制御装置２５に設けられた自動湯張り手段（図示せず）によって注湯電磁弁２４が開けられる。そうすると、給水管１５を通って給湯熱交換器１４に水が入り込み、この水の流れがフローセンサ１６により検出されて給湯バーナ１３の燃焼が行われ、給湯熱交換器１４で作り出された湯は湯張り用管２１を通って追い焚き循環路６に入り込み、この追い焚き循環路６を通して浴槽８内に落とし込まれる。したがって、フローセンサ１６により、給湯熱交換器１４の給湯通路から追い焚き循環路６を介して浴槽８に供給される湯の量が検出される。
【０００９】
制御装置２５には、図６に示すような浴槽水量Ｑと浴槽水位Ｐとの関係を示す湯張り特性データ（Ｐ−Ｑ特性データ）がメモリに記憶されており、制御装置２５の自動湯張り手段（図示せず）はこの湯張り特性データに基づき、フローセンサ１１で検出される給水水量情報と、水位センサ２０で検出される水位情報とを受けて、リモコン２６等で設定される設定水位に達するまで湯張りを行い、湯張り水位が設定水位に達したところで注湯電磁弁２４を閉じて湯張り動作を終了する。
【００１０】
追い焚き運転時には、注湯電磁弁２４が閉められている状態で、追い焚き循環ポンプ４が起動される。そうすると、浴槽８内の湯水は追い焚き循環路６を循環し、この循環湯水の流れが流水スイッチ１１で検出されたときに、制御装置２５は風呂バーナ１を燃焼し、追い焚き熱交換器２を通る循環湯水を加熱して追い焚きを行う。そして、浴槽８内の湯水の温度、つまり、風呂温度センサ５で検出される湯水の温度が風呂設定温度に達したときに、追い焚き循環ポンプ４を停止し、風呂バーナ１の燃焼を停止して追い焚き運転を終了する。
【００１１】
この追い焚き運転の終了時から所定の時間（例えば４時間）にかけて保温モードに移り、この保温モードでは、例えば３０分等の時間間隔で追い焚き循環ポンプ４を起動して浴槽湯水を追い焚き循環路６を通して循環し、このとき風呂温度センサ５で検出される浴槽湯水の温度が風呂設定温度に対し、所定の温度を越えて低下していたときには、風呂バーナ１を燃焼して浴槽湯水の温度を設定温度に高める等の動作を行って浴槽湯水の保温を行う。この保温動作において、水位保持機能を備えた風呂装置のものにあっては、保温モードの期間中、常に、水位センサ２０の水位検出信号によって浴槽水位を監視し、浴槽水位が設定水位から許容範囲を越えて低下したときには、前記湯張り制御データに基づき、設定水位までの不足分の水量を演算により求め、この演算水量を注湯電磁弁２４を開けて給湯熱交換器１４側の湯を足し湯し、浴槽水位を設定水位に保持する。
【００１２】
【特許文献１】特開平６−１４７６３４号公報
【特許文献２】特開平２−３０２５５４号公報
【特許文献３】特開平３−２２１７５２号公報
【発明の開示】
【発明が解決しようとする課題】
【００１３】
ところで、このような風呂装置において、湯張り運転を行うときには、上記のようにリモコン２６等で所望の設定水位を設定し、湯張り水位が設定水位に達するまで湯張り動作が行われるが、従来の風呂装置においては、湯張り動作の途中で、どの程度湯張りが行われているかを知ることができなかった。そのため、湯張りの途中で人が浴槽８の水位を見て確認し、浴槽８の水位が入浴に適する水位になったときに入浴の準備を始めるか、あるいは湯張りが終了するだけの十分な時間が経ってから人が浴槽８の水位を確認して入浴するしかなく、不便であった。
【００１４】
また、上記のような風呂装置においては、追い焚き運転中の浴槽８内の湯の温度を知ることができないために、例えば、追い焚き運転終了のタイミングを見計らって人が追い焚き運転終了を確認するか、あるいは、風呂装置にブザー等の報知手段を設けて、ブザーにより追い焚き運転終了を報知できるようにし、この報知が行われたときに、追い焚き運転が終了したことを人が判断して入浴するしかなく、不便であった。
【００１５】
本発明は、上記従来の課題を解決するためになされたものであり、その目的は、追い焚き運転中の浴槽内の湯温や自動湯張り運転中の浴槽内の水位を利用者に知らせることができる風呂装置を提供することにある。
【課題を解決するための手段】
【００１６】
上記目的を達成するために本発明は次のように構成されている。すなわち、第１の発明は、浴槽の側壁に接続具を介して接続される追い焚き熱交換器を備えた追い焚き循環路と、この追い焚き循環路に連通する箇所に設けられて浴槽の水位を水圧によって検出する水位センサと、給湯熱交換器と、該給湯熱交換器の給湯通路を注湯制御弁を介して追い焚き循環路に連通する注湯通路と、前記給湯通路から前記追い焚き循環路を介して浴槽に供給される湯水の量を検出する流量センサと、浴槽水位（Ｐ）と浴槽水量（Ｑ）とを関係付けた湯張り特性データに基づいて前記給湯熱交換器側の湯を浴槽に落とし込んで自動湯張りを行う自動湯張り手段とを有する風呂装置において、前記流量センサで検出する流量と前記湯張り特性データに基づいて自動湯張り中の浴槽水位を検出する浴槽水位検出部と、該浴槽水位検出部により検出した浴槽水位を直接的に又は間接的にリアルタイムで表示する水位表示部を設けたことを特徴として構成されている。
【００１７】
また、第２の発明は前記第１の発明の構成を備えた上で、前記水位表示部は、浴槽水位が入浴可能な水位となる入浴可能水位範囲と浴槽水位が入浴に最適となる入浴最適水位範囲の入力データを記憶する浴槽水位データ設定格納部と、浴槽水位検出部により検出した浴槽水位が前記入浴可能水位範囲内のときには入浴可能の表示をし、浴槽水位検出部により検出される浴槽水位が前記入浴最適水位範囲のときには入浴最適の表示をする水位区別表示部とを設けて構成したことを特徴とする。
【００１８】
さらに、第３の発明は前記第１又は第２の発明の構成を備えた上で、前記追い焚き循環路を循環する浴槽湯水の温度を検出する風呂温度センサを有し、前記風呂温度センサの検出信号に基づいて少なくとも追い焚き運転中の浴槽内の湯温を直接的に又は間接的にリアルタイムで表示する温度表示部を設けたことを特徴とする。
【００１９】
さらに、第４の発明は前記第３の発明の構成を備えた上で、前記温度表示部は、浴槽湯水の温度が入浴可能な温度となる入浴可能温度範囲と浴槽湯水の温度が入浴に最適となる入浴最適温度範囲の入力データを記憶する入浴温度データ設定格納部と、風呂温度センサにより検出される浴槽内の湯温が前記入浴可能温度範囲内のときには入浴可能の表示をし、風呂温度検出センサにより検出される浴槽内の湯温が前記入浴最適温度範囲内のときには入浴最適の表示をする温度区別表示部とを設けて構成したことを特徴とする。
【００２０】
第５の発明は、前記第３又は第４の発明の構成を備えた上で、前記温度表示部の表示内容と水位表示部の表示内容は風呂装置の制御装置に接続されているリモコンによって風呂装置の利用者に知らせることを特徴とする。
【発明の効果】
【００２１】
追い焚き運転中の浴槽内の湯温が直接的に又は間接的にリアルタイムで表示される構成とした本発明によれば、風呂装置の利用者は追い焚き運転中の浴槽湯水の湯温を時々刻々と知ることが可能となり、この温度表示に基づいて的確に入浴のタイミングを図ることができる。
【００２２】
また、温度表示部は、浴槽湯水の温度が入浴可能な温度となる入浴可能温度範囲と浴槽湯水の温度が入浴に最適となる入浴最適温度範囲の入力データを記憶する入浴温度データ設定格納部と、風呂温度センサにより検出される浴槽内の湯温が前記入浴可能温度範囲内のときには入浴可能の表示をし、風呂温度検出センサにより検出される浴槽内の湯温が前記入浴最適温度範囲内のときには入浴最適の表示をする温度区別表示部とを設けて構成した本発明によれば、浴槽内の湯温が入浴最適温度範囲内のときには入浴最適の表示が行われ、入浴可能温度範囲内のときには入浴可能の表示が行われるために、風呂装置の利用者が一目で、しかも的確に浴槽内に湯温を区別認識することが可能となり、この区別認識に基づいて、より的確に入浴のタイミングを図ることができる。
【００２３】
さらに、本発明は、流量センサで検出する流量と湯張り特性データに基づいて算出される自動湯張り中の浴槽水位を検出する浴槽水位検出部と、該浴槽水位検出部により検出した浴槽水位を直接的に又は間接的にリアルタイムで表示する水位表示部を設けた構成としたので、自動湯張り中に浴槽内の水位がリアルタイムで表示されるために、この風呂装置の利用者は自動湯張り中の浴槽内の水位をリアルタイムで的確に知ることが可能となり、この水位表示に基づいて、的確に入浴のタイミングを図ることができる。
【００２４】
また、水位表示部は、浴槽水位が入浴可能な水位となる入浴可能水位範囲と浴槽水位が入浴に最適となる入浴最適水位範囲内の入力データを記憶する浴槽水位データ設定格納部と、浴槽水位検出部により検出した浴槽水が前記入浴可能水位範囲内のときには入浴可能の表示をし、浴槽水位検出部により検出される浴槽水位が前記入浴最適水位範囲のときには入浴最適の表示をする水位区別表示部とを設けて構成した本発明によれば、浴槽水位が入浴最適水位範囲のときには入浴最適の表示が行われ、入浴可能水位範囲内のときには入浴可能の表示が行われるために、風呂装置の利用者が自動湯張り運転中の浴槽内の水位を一目で、しかも的確に区別認識することが可能となり、この区別認識に基づいて、より的確に入浴のタイミング等を図ることが可能となる。
【発明を実施するための最良の形態】
【００２５】
以下、本発明の実施例を図面に基づいて説明する。なお、本実施例の風呂装置は前記図７に示したものと同様のシステム構成を備えており、前記従来例と同一名称部分には同一符号を付しその重複説明は省略する。本実施例が従来例と異なる特徴的なことは、追い焚き運転中の浴槽８内の湯温を検出して表示する風呂温度の表示手段と、自動湯張り中の浴槽８の水位を検出して表示する浴槽水位の検出表示手段とを設けて制御装置２５を構成したことである。
【００２６】
図１には、上記風呂温度の表示手段と浴槽水位の検出表示手段の一構成例がブロック図により示されており、風呂温度の表示手段は、風呂温度センサ５と温度表示部３３を有して構成されており、浴槽水位の検出表示手段は、水位センサ２０、フローセンサ１６、浴槽水位検出部４０、Ｐ−Ｑデータメモリ３０、水位表示部４２を有して構成されている。
【００２７】
温度表示部３３は、リアルタイム温度表示部２９、入浴温度データ設定格納部３２、風呂温度判別部２８、温度区別表示部３１を有して構成されており、入浴温度データ設定格納部３２は、風呂温度設定部３４と温度範囲メモリ２７を有して構成されている。また、水位表示部４２は、リアルタイム水位表示部３７、浴槽水位データ設定格納部４１、浴槽水位判別部３８、水位区別表示部３９を有して構成されており、浴槽水位データ設定格納部４１は、浴槽水位設定部３６と水位範囲メモリ３５を有して構成されている。
【００２８】
リアルタイム温度表示部２９は、風呂温度センサ５の検出信号に基づいて、追い焚き運転中の浴槽８内の湯温を直接的にリアルタイムで表示するものであり、例えば、図２の（ａ）に示すような、リモコン２６の表示画面に追い焚き運転中の風呂現在温度（浴槽８内の湯温）を直接的にリアルタイムでデジタル表示する。
【００２９】
入浴温度データ設定格納部３２は、浴槽８の湯水の温度が入浴可能な温度となる入浴可能温度範囲と、浴槽８の湯水の温度が入浴に最適となる入浴最適温度範囲の入力データを設定記憶するものであり、リモコン２６の風呂温度設定ボタン４５を操作すること等により、風呂温度設定部３４に設定される風呂の設定温度に対して、±０．５℃の温度範囲を入浴最適温度範囲として、温度範囲メモリ２７に自動的に記憶し、同様に、前記風呂の設定温度に対して−０．５〜−２℃の温度範囲を入浴可能温度範囲として温度範囲メモリ２７に記憶し、前記風呂の設定温度に対して−２℃以上低い温度は入浴不可温度範囲として温度範囲メモリ２７に記憶する。
【００３０】
例えば、風呂温度設定部３４に、４２℃の設定温度が設定されたときには、温度範囲メモリ２７は、４１．５℃〜４２．５℃までの温度を入浴最適温度範囲として記憶し、４０℃〜４１．５℃までの温度は入浴可能温度範囲として記憶し、４０℃未満の温度は入浴不可温度範囲として記憶するようになっており、このように、本実施例では、入浴温度データ設定格納部３２により記憶される入浴最適温度範囲や入浴可能温度範囲等の入浴データは、風呂温度設定部３４に設定される設定温度により可変される。
【００３１】
風呂温度判別部２８は、前記風呂温度センサ５により検出される検出信号を受けて、風呂温度センサ５により検出される浴槽８内の湯温と温度範囲メモリ２７に記憶されている入浴可能温度範囲や入浴最適温度範囲等の入力データとを比較し、浴槽８内の湯温が入浴最適温度範囲内であるか、入浴可能温度範囲内であるか、入浴不可温度範囲内であるかを判別するものであり、浴槽８内の湯温が入浴最適温度範囲内のときにきは入浴最適判別信号を温度区別表示部３１に加え、浴槽８内の湯温が入浴可能温度範囲内のときには入浴可能判別信号を温度区別表示部３１に加え、入浴不可温度範囲内のときには入浴不可判別信号を温度区別表示部３１に加える。
【００３２】
温度区別表示部３１は、風呂温度判別部２８から加えられる各判別信号を受けて、浴槽８内の湯温を区別表示するものであり、風呂温度判別部２８から入浴不可判別信号が加えられたときには、リモコン２６等の表示画面の追い焚きＬＥＤ（発光ダイオード）４７を点灯し、風呂温度判別部２８から入浴可能判別信号が加えられたときに、追い焚きＬＥＤ４７を点滅し、風呂温度判別部２８から入浴最適判別信号が加えられたときには、追い焚きＬＥＤ４７を消灯することにより、風呂温度センサ５により検出される風呂の温度（浴槽湯水）の温度を区別表示する。
【００３３】
Ｐ−Ｑデータメモリ３０には、前記図６に示したような浴槽水量Ｑと浴槽水位Ｐとの関係を示す湯張り特性データが記憶されており、浴槽水位検出部４０は、この湯張り特性データとフローセンサ１６で検出する流量に基づいて自動湯張り中の浴槽水位を検出するものであり、フローセンサ１６により検出する流量と前記湯張り特性データ（Ｐ−Ｑデータ）とに基づいて自動湯張り中の浴槽水位を検出し、リアルタイム水位表示部３７と浴槽水位判別部３８とに加える。
【００３４】
リアルタイム水位表示部３７は、浴槽水位検出部４０から加えられる浴槽水位の検出信号を受けて、浴槽水位検出部４０により検出される浴槽水位を直接的にリアルタイムに表示するものであり、自動湯張り中の浴槽水位をリモコン２６の表示画面等にデジタル表示等により表示する。また、リアルタイム水位表示部３７は、水位センサ２０から加えられる浴槽水位の検出信号を受けて自動湯張り中以外の浴槽水位をリモコン２６の表示画面等に表示する。
【００３５】
なお、リアルタイム水位表示部３７は、図示されていない水位表示の切り換え手段を有しており、この水位表示の切り換え手段により、水位センサ２０から加えられる浴槽水位の検出信号と浴槽水位検出部４０から加えられる浴槽水位の検出信号の切り換えを行い、湯張り動作中で浴槽８内に湯が注湯されているときには浴槽水位検出部４０により検出された浴槽８内の水位をリアルタイムで表示し、それ以外のとき（湯の流れが停止しているときや湯張りが終了した以降等）は水位センサ２０により検出した浴槽８内の水位を表示するようになっている。
【００３６】
浴槽水位データ設定格納部４１は、浴槽水位が入浴可能な水位となる入浴可能水位範囲と浴槽水位が入浴に最適となる入浴最適水位範囲の入力データを設定記憶するものであり、リモコン２６の風呂水位設定ボタン４６を操作すること等により浴槽水位設定部３６に設定した浴槽水位に対して、９０〜１００％の水位範囲を入浴最適水位範囲として水位範囲メモリ３５に記憶し、前記設定した浴槽水位に対して６０〜９０％の水位範囲を入浴可能水位範囲として記憶し、前記設定した浴槽水位に対して６０％未満の浴槽水位範囲を入浴不可水位範囲として記憶する。
【００３７】
浴槽水位判別部３８は、前記浴槽水位検出部４０から加えられる浴槽水位の検出信号を受けて、この検出される浴槽水位と水位範囲メモリ３５に記憶されている各水位範囲とを比較し、浴槽水位検出部４０により検出される浴槽水位が前記入浴最適水位範囲のときには入浴最適と判断し、入浴最適判別信号を水位区別表示部３９に加え、浴槽水位検出部４０により検出した浴槽水位が前記入浴可能水位範囲内のときには入浴可能と判断して入浴可能判別信号を水位区別表示部３９に加え、前記検出した浴槽水位が前記入浴不可水位範囲内のときには入浴不可と判断し、入浴不可判別信号を水位区別表示部３９に加える。
【００３８】
なお、浴槽水位判別部３８は、図示されていない水位区別表示の切り換え手段を有しており、浴槽水位判別部３８が浴槽８内の水位を区別判断するときに、水位センサ２０から加えられる浴槽水位の検出信号と、浴槽水位検出部４０から加えられる浴槽水位の検出信号との、いずれを水位範囲メモリ３５に記憶されている入浴最適水位範囲や入浴可能水範囲と比較するかを切り換える働きをするようになっており、それにより、浴槽水位判別３８は、自動湯張り中で浴槽８内に湯が注湯されているときには、上記のように、浴槽水位検出部４０により検出した浴槽水位を水位範囲メモリ３５に記憶されている入浴最適水位範囲等の各範囲と比較して、入浴最適判別信号や入浴可能判別信号等の各判別信号を水位区別表示部３９に加え、それ以外のときには水位センサ２０により検出した浴槽水位と水位範囲メモリ３５に記憶されている各水位とを比較して前記各判別信号を水位区別表示部３９に加えるようになっている。
【００３９】
水位区別表示部３９は、浴槽水位判別部３８から加えられる各判別信号を受けて、例えば、入浴不可判別信号が加えられたときには、リモコン２６の水位表示ＬＥＤ４８を点灯し、入浴可能判別信号が加えられたときには水位表示ＬＥＤ４８を点滅し、入浴最適判別信号が加えられたときには水位表示ＬＥＤ４８を消灯するといったように、浴槽水位検出部４０や水位センサ２０により検出される浴槽水位を区別表示するものである。
【００４０】
本実施例は以上のように構成されており、本実施例の風呂装置は図６に示した従来例の風呂装置と同様の動作により自動湯張り運転および追い焚き運転を行うが、本実施例では、自動湯張り運転時に浴槽水位検出部４０により浴槽８内の水位が検出されて水位表示部４２に表示され、追い焚き運転時には、温度表示部３３により浴槽８内の温度が表示される。
【００４１】
以下、図３のフローチャートに基づいて、本実施例の風呂装置の追い焚き運転時の動作（追い焚きフロー）について説明する。まず、リモコン２６の風呂温度設定ボタン４５を操作すること等により、風呂温度設定部３４に所望の風呂温度を設定すると、上記設定温度に基づいて、入浴最適温度範囲、入浴可能温度範囲、入浴不可能温度範囲の入力データが温度範囲メモリ２７に記憶される。そして、ステップ１０１で、追い焚きスイッチをオンとすると、ステップ１０２で、追い焚きＬＥＤ４７が点灯し、追い焚き循環ポンプ４が作動する。次に、ステップ１０４で、追い焚き循環ポンプ４が作動してから３０秒経過したか否かを判断し、３０秒経過したときには、ステップ１０５で、風呂温度センサ５により浴槽８内の湯温（風呂温度）を測定し、ステップ１０６で、リアルタイム温度表示部２９により浴槽８内の湯温をリアルタイムで表示する。
【００４２】
そして、ステップ１０７で、風呂温度判別部２８により、前記温度範囲メモリ２７に記憶されている入浴最適温度範囲と風呂温度センサ５から加えられる浴槽８内の湯温とを比較し、浴槽８内の湯温が入浴最適温度範囲内のときにはステップ１１４に進み、追い焚きＬＥＤを消灯し、一方、浴槽８内の湯温が入浴最適温度範囲以外のときにはステップ１０８に進む。そして、ステップ１０８で、風呂温度判別部２８により、前記浴槽８内の湯温が温度範囲メモリ２７に記憶されている入浴可能温度範囲内か否かを判断し、入浴可能温度範囲内のときには、ステップ１０９で追い焚きＬＥＤ４７を点滅してステップ１１０に進み、浴槽８内の湯温が入浴可能温度範囲以外のとき、すなわち、入浴不可温度範囲内のときにはそのままステップ１１０に進み、ステップ１１０で追い焚き運転を開始する。
【００４３】
そして、ステップ１１１で、風呂温度判別部２８により、浴槽８内の湯温が入浴最適温度範囲内に入ったか否かを判断し、浴槽８内の湯温が入浴最適温度範囲内に入るまでステップ１０８からステップ１１１までの動作を繰り返す。ステップ１１１で、浴槽８内の湯温が入浴最適温度範囲内にあると判断されたときには、ステップ１１２で、追い焚き運転を終了し、ステップ１１３で、追い焚き循環ポンプ４を停止し、ステップ１１４で、追い焚きＬＥＤを消灯し、ステップ１１５で、沸き上がりブザーを鳴らす。
【００４４】
なお、ステップ１０７からステップ１１１までの動作により、浴槽８内の湯温が入浴最適温度範囲内か、あるいは入浴可能温度範囲内か、入浴不可温度範囲内かを判別して追い焚きＬＥＤによる区別表示を行う間も、リアルタイム温度表示部２９による浴槽８内の湯温のリアルタイム表示は継続され、ステップ１１５で沸き上がりブザーをオンとした後、ステップ１１６で、リアルタイム温度表示を終了する。
【００４５】
次に、図４に示すフローチャートに基づいて、本実施例の風呂装置の自動湯張り運転時の動作について説明する。まず、リモコン２６の風呂温度設定ボタン４５を操作すること等により、風呂温度設定部３４に所望の風呂温度を設定すると、風呂温度設定部３４に設定した設定温度に基づいて、入浴最適温度範囲、入浴可能温度範囲、入浴不可温度範囲の入力データが温度範囲メモリ２７に記憶され、また、風呂水位設定ボタン４６を操作すること等により、所望の浴槽水位を浴槽水位設定部３６に設定すると、浴槽水位設定部３６に設定した浴槽８内の設定水位に基づいて、水位範囲メモリ３５に、入浴最適水位範囲、入浴可能水位範囲、入浴不可水位範囲の入力データが水位範囲メモリ３５に記憶される。
【００４６】
そして、図４のステップ２０１で、自動運転スイッチをオンすると、ステップ１０２で、水位表示ＬＥＤ４８が点灯する。次に、ステップ２０３で、浴槽水位判別３８が、水位センサ２０により検出される浴槽水位の検出信号を受けて浴槽水位は循環金具１０の循環口まであるか否かを判断し、浴槽水位が循環口まであるときにはステップ２０６に進み、一方、浴槽水位が循環口までないときには、ステップ２０４で、循環口までの注湯を行い、ステップ２０５で、浴槽水位が循環口まであると判断されるまで注湯を継続し、循環口まで注湯されたときにはステップ２０６に進む。
【００４７】
そして、ステップ２０６で、前記図３に示した追い焚きフローのステップ１０１からステップ１１４までの動作を行い、ステップ２０７で、水位センサ２０により浴槽水位の検出を行い、ステップ２０８で、リアルタイム水位表示部３７により、浴槽８内の水位をリアルタイムで表示する。
【００４８】
次に、ステップ２０９で、浴槽水位判別部３８により、水位センサ２０により検出される浴槽８内の水位と前記水位範囲メモリ３５に記憶されている入浴最適水位範囲とを比較し、浴槽８内の水位が入浴最適水位範囲内のときにはステップ２２０に進み、ステップ２２０で、水位表示ＬＥＤを消灯する。また、ステップ２０９で、浴槽８内の水位が入浴最適水位範囲以外であると判断されたときには、ステップ２１０で、浴槽水位判別部３８により、浴槽８内の水位が水位範囲メモリ３５に記憶されている入浴可能水位範囲内であるか否かを判断し、浴槽８内の水位が入浴可能水位範囲内のときには、ステップ２１１で、水位表示ＬＥＤ４８を点滅させてステップ２１２に進み、浴槽８内の水位が入浴可能水位範囲以外、すなわち、入浴不可水位範囲のときには水位範囲ＬＥＤを点灯させたままステップ２１２に進む。
【００４９】
そして、ステップ２１２で、浴槽水位検出部４０により、Ｐ−Ｑデータメモリ３０に記憶されている湯張り特性データと、フローセンサ１６で検出される流量と、水位センサ２０で検出される水位情報とに基づいて、浴槽水位設定部３６に設定されている設定水位までの注湯量を演算し、ステップ２１３で、注湯電磁弁２４を開き、ステップ２１４で、点火を行って湯張り動作を行う。次に、ステップ２１５で、浴槽水位判別部３８により、浴槽８内の水位が前記入浴可能水位範囲内か否かを判断し、浴槽８内の水位が入浴可能水位範囲内となったときには、ステップ２１６で、水位区別表示部３９により、水位表示ＬＥＤ４８を点滅させ、浴槽８内の水位が入浴可能水位範囲内に入るまで注湯を行う。そして、さらに、ステップ２１７で、浴槽水位判別部３８により、浴槽８内の水位が入浴最適水位範囲内か否かを判断し、浴槽８内の水位が入浴最適水位範囲内になるまで注湯を継続する。
【００５０】
なお、上記のように、水位表示ＬＥＤ４８による浴槽水位の区別表示を行っているときにも、リアルタイム水位表示部３７による浴槽水位のリアルタイム表示は継続される。
【００５１】
そして、ステップ２１７で、浴槽８内の水位が入浴最適水位範囲内となったことが確認されたときには、ステップ２１８で、給湯バーナ１３の消火を行い、給湯熱交換器１４側での給湯運転を停止し、ステップ２１９で、注湯電磁弁２４を閉じ、ステップ２２０で、水位区別表示部３９により水位表示ＬＥＤ４８を消灯し、ステップ２２１で、前記図３に示した追い焚きフローのステップ１０１からステップ１１４までの動作を行う。そして、追い焚きが終了したときには、ステップ２２１で、沸き上がりブザーをオンとして沸き上がりを報知し、リアルタイム温度表示およびリアルタイム水位表示を終了する。
【００５２】
本実施例によれば、上記動作により、追い焚き運転中の浴槽８内の湯温が直接的にリアルタイムで表示されるために、この風呂装置の利用者は追い焚き運転中の浴槽８内の湯温を時々刻々と知ることが可能となる。しかも、本実施例によれば、予め設定した所望の入浴設定温度に基づいて、自動的に入浴最適温度範囲と入浴可能温度範囲が記憶され、浴槽８内の湯温が入浴最適温度範囲内のときには入浴最適の表示が行われ、入浴可能温度範囲内のときには入浴可能の表示が行われるために、風呂装置の利用者が一目で、しかも的確に浴槽８内の湯温を区別認識することが可能となり、この区別認識に基づいて的確に入浴のタイミングを図ることができる。
【００５３】
さらに、本実施例によれば、上記動作により、自動湯張り中に浴槽８内の水位がリアルタイムで表示されるために、この風呂装置の利用者は自動湯張り中の浴槽８内の水位をリアルタイムで的確に知ることができる。しかも、本実施例では、予め設定した所望の浴槽水位に基づいて、入浴最適水位範囲と入浴可能水位範囲が自動的に記憶され、浴槽水位が入浴最適水位範囲のときには入浴最適の表示が行われ、入浴可能水位範囲内のときには入浴可能の表示が行われるために、風呂装置の利用者が自動湯張り中の浴槽８内の水位を一目で、しかも的確に区別認識することが可能となり、上記と同様に、この区別認識に基づいて、的確に入浴のタイミング等を図ることが可能となる。
【００５４】
なお、本発明は上記実施例に限定されることはなく様々な実施の態様を採り得る。例えば、上記実施例では、リアルタイム温度表示部２９は、風呂温度センサ５により検出される浴槽８内の湯温をデジタル表示等により直接的にリアルタイムで表示するようにしたが、リアルタイム温度表示部２９は、例えば、図２の（ｂ）に示すように、風呂温度センサ５により検出される浴槽８内の湯温を棒グラフ等を用いて間接的にリアルタイムで表示するようにしても構わない。
【００５５】
また、上記実施例では、リアルタイム水位表示部３７は、水位センサ２０や浴槽水位検出部４０により検出される浴槽８内の水位をパーセント表示により直接的にリアルタイムで表示するようにしたが、リアルタイム水位表示部３７は、例えば、浴槽８内の水位を、浴槽底面から何ｃｍの位置にあるかを表示してもよく、循環口から何ｃｍの位置にあるかを表示してもよく、また、設定水位に達するまで何ｃｍあるかといったような表示を行ってもよく、リアルタイム水位表示部３７による表示の仕方は適宜設定されるものである。
【００５６】
さらに、リアルタイム表示部３７は、例えば、図２の（ｃ）に示すように、浴槽８内の水位が浴槽８のどの位置にあるかを図等により間接的にリアルタイムで表示するようにしても構わない。
【００５７】
さらに、上記実施例では、温度表示部３３は、リアルタイム温度表示部２９と温度区別表示部３１の両方を設けて構成したが、温度表示部３３は、リアルタイム温度表示部２９のみを設けて構成してもよく、その逆に、温度区別表示部３１側（入浴温度データ設定格納部３２と風呂温度判別部２８とを含む）のみを設けて構成しても構わない。
【００５８】
なお、温度表示部３３をリアルタイム温度表示部２９のみにより構成したときには、例えば、図３のステップ１０２，１０８，１０９，１１４を省略し、図５に示すように、ステップ１０３で追い焚き循環ポンプ４をオンとした後、ステップ１０４で３０秒経過したことが確認された後に、ステップ１０５で、風呂温度センサ５により風呂温度を測定し、浴槽８内の湯温が設定温度以上になって、ステップ１１５で沸き上がりブザーがオンとなるまで、リアルタイム温度表示部２９によるリアルタイム温度を表示することになる。
【００５９】
さらに、上記実施例では、水位表示部４２は、リアルタイム水位表示部３７と、水位区別表示部３９との両方とを設けて構成したが、水位表示部４２は、リアルタイム水位表示部３７のみを設けて構成してもよく、その逆に、水位区別表示部３９側（浴槽水位データ設定格納部４１と浴槽水位判別部３８とを含む）のみを設けて構成しても構わない。
【００６０】
さらに、上記実施例では、入浴温度データ設定格納部３２は、風呂温度設定部３４に所望の風呂の温度を入力し、その設定した風呂の温度に対して±０．５℃の温度範囲を入浴最適温度範囲として温度範囲メモリ２７に記憶するといったように、入浴最適温度範囲や入浴可能温度範囲を自在に可変できるように構成したが、入浴温度データ設定格納部３２は、予め定めた固定の入浴最適温度範囲や入浴可能温度範囲の入力データを設定し記憶するように構成しても構わない。
【００６１】
さらに、上記実施例では、入浴温度データ設定格納部３２は、風呂温度設定部３４に設定した設定温度に基づいて、自動的に入浴最適温度範囲や入浴可能温度範囲が自動的に設定され、温度範囲メモリ２７に記憶されるように構成したが、入浴温度データ設定格納部３２は、風呂温度設定部３４に設定する風呂温度に基づいて風呂装置の利用者が手動により入浴最適温度範囲や入浴可能温度範囲を設定入力するように構成しても構わない。
【００６２】
さらに、上記実施例では、浴槽水位データ設定格納部４１は、浴槽水位設定部３６に所望の浴槽水位を設定し、その設定した浴槽水位に基づいて、例えば、設定した浴槽水位の９０％以上を入浴最適水位範囲として記憶するといったように、入浴最適水位範囲や入浴可能水位範囲を自在に可変できる構成としたが、浴槽水位データ設定格納部４１は、予め固定の入浴最適水位範囲や入浴可能水位範囲を設定するように構成しても構わない。
【００６３】
さらに、上記実施例では、浴槽水位データ設定格納部４１は、浴槽水位設定部３６に設定した浴槽８の設定水位に基づいて、入浴最適水位範囲や入浴可能水位範囲が自動的に設定され、水位範囲メモリ３５に記憶されるように構成したが、浴槽水位設定部３６に設定する設定水位に基づいて風呂装置の利用者が手動により入浴最適水位範囲や入浴可能水位範囲を設定入力するようにしても構わない。
【００６４】
さらに、上記実施例では、リアルタイム温度表示部２９により、追い焚き運転中にのみ浴槽８内の湯温を表示し、また、リアルタイム水位表示部３７により自動湯張り中にのみ浴槽８の水位を表示するようにしたが、リアルタイム温度表示部２９による温度表示やリアルタイム水位表示部３７による水位表示は、追い焚き運転中や自動湯張り中以外にも行われるようにしてもよく、これらの表示は常に行われるようにしてもよい。
【図面の簡単な説明】
【００６５】
【図１】本発明に係わる風呂装置の一実施例における風呂温度の表示と浴槽水位の表示を行う制御部の要部構成を示すブロック図である。
【図２】上記実施例の風呂装置のリモコンの操作ボタンとリモコン表示の例を示す説明図である。
【図３】上記実施例の風呂装置における追い焚き運転動作を具体的に示すフローチャートである。
【図４】上記実施例の風呂装置における自動湯張り運転動作を具体的に示すフローチャートである。
【図５】本発明の風呂装置の他の実施例における追い焚き運転動作を具体的に示すフローチャートである。
【図６】湯張り機能を備えた風呂装置の制御装置に与えられる湯張り特性データの説明図である。
【図７】一般的な風呂装置のシステム図である。
【符号の説明】
【００６６】
２８  風呂温度判別部
２９  リアルタイム温度表示部
３０  Ｐ−Ｑデータメモリ
３１  温度区別表示部
３２  入浴温度データ設定格納部
３７  リアルタイム水位表示部
３８  浴槽水位判別部
３９  水位区別表示部
４０  浴槽水位検出部
４１  浴槽水位データ設定格納部
【図１】
2006234380.tif 000003
【図２】
2006234380.tif 000004
【図３】
2006234380.tif 000005
【図４】
2006234380.tif 000006
【図５】
2006234380.tif 000007
【図６】
2006234380.tif 000008
【図７】
2006234380.tif 000009